(57)【要約】【課題】  ファックスで、物質とかも送れたらいいなと思いました。【解決手段】  太陽光を遮断する事によって、三次元の世界が五次元の世界になり、物質がプラズマ化する原理を利用して、物質のファックス転送システムを実現しました。また時間の無い光、月光を遮断する事によって、物質が消滅する原理を利用して暗黒星雲の仕組みと太陽系の関係を明らかに出来ました。【選択図】なし【特許請求の範囲】
【請求項１】
太陽光を遮断する事によって、物質がプラズマ化する原理を利用して、物質をファックス転送するシステムの構築の発明。
【発明の詳細な説明】
【発明の原理への導入】
【０００１】  太陽系と分子の世界、すごく似ている。陽子の周りを電子が回る。まるで太陽系のコピーであるかのよう。太陽光の唾液。そんな感じです。先日提出いたしました。私の特許、特願２０１１−２２３３９０で解き明かしましたが。植物とか生物はそんな太陽光から物質を作りだしています。言葉を変えるならば、三次元化しているということになります。太陽光はひとつのペルソナなのでしょうか。
【０００２】  太陽光が降り注ぐだけでプラズマの世界が分子の世界になる。この分子が三次元の基本。太陽光が消えれば、この世界は一瞬にしてプラズマの世界へと変貌してしまう。つまり五次元の世界へと変わってしまう。
【発明の原理への仮説１】
【０００３】  太陽の重力波つまり太陽光がもたらすものは、五次元の世界を三次元に変えてしまうもの。太陽の唾液。植物と生物は重力波を物質に変えてしまう。その重力波を消してしまえば、物質はプラズマに戻ってしまう。物質は重力波のクローンに違いない。
【発明の原理への仮説２】
【０００４】  光には二通りある。時間のある光、太陽光。そして時間の無い光、月光。月光の届かない世界では、物質は消滅してしまう。
【発明の原理】
【０００５】  五次元の世界を三次元の世界に変換しているのは、太陽光だと思います。基本的にいえば、この太陽光を遮ってやれば、三次元の世界から五次元の世界へ移行しますから、三次元の世界の物質はプラズマ化するのではないかと考えられます。
【発明への実験】
【０００６】  太陽光を遮る鉛の箱を作り、その中に物質を入れると引力とか重力とかを除いて、太陽光の影響が少なくなるので、この状態で太陽光の影響を少なくする光とか水とかを照射したり、与えたりすれば、まだ他にも考えられるかも知れないが、つまりプラズマ化する為の努力をすれば物質はプラズマ化するのではないかと考えられます。
【０００７】  プラズマ化すれば、光速でその物質を飛ばす事も可能になるのでは。光となれば、物質は光と一体となっているのであるから、同じ速度で飛ぶことになるから、姿を保ったまま、飛んでいく事になると思います。
【発明の開示】
【０００８】  先程の原理、すなわち太陽光を遮断し、三次元から五次元への移行をするならば、物質は分子構造からプラズマ構造へと移行することを利用して、それを電話の光回線に接続して、送信するシステムを考えてみました。
【０００９】  物質を鉛の箱に入れて、大口径の光回線で箱と箱を結び、ファックス送信するシステムです。但しこの際、太陽光以外にも、物質のプラズマ化を遮断するものがあるかも知れません。プラズマ化を促進するためには、時間の無い光、たとえば月光とかの照射等でプラズマ化を促進する為の努力とかも必要かも知れません。
【００１０】  また鉛の箱を閉じてからも、分子からプラズマの状態に移行するまでの間に時間が掛かるかも知れませんので、鉛の箱を二つ三つ用意しといて前もって入れて置く必要があるかも知れません。
【００１１】  この鉛の箱に入った物質に、太陽光が残留している可能性があるからです。この残留している太陽光を吸収するのに黒色の物を鉛の箱の中に貼るとかして、太陽光の吸収を早めるのも、ひとつの手だろうと思います。物質はプラズマ化しても、質量は変化しないと思います。
【発明の問題点】
【００１２】  鉛の大きな部屋は非常に危険です。そこに人が入ると、人が消滅してしまう恐れがあります。月の光の届かない世界では物質が存在しなくなる可能性が非常に高いと思います。
【００１３】  植物と生物が光を物質に変換していることの裏返しの理論です。実験の結果、この結論を得ました。
【００１４】  小さな鉛の箱を作り太陽光を遮断しましたら、物質がプラズマ化しました。さらに大きな鉛の箱を作り、人が入りましたら、非常に危険な目にあったのです。もう少しで人が消滅してしまうところでした。決して皆さんは試みないでください。危険です。
【００１５】  当分の間は生物とか植物、人間には使わないでください。というのも送信の際に、圧力とか振動が発生して、それが多大な影響を及ぼす恐れがあるからです。その圧力は光の壁からの圧力、また電気から発生する圧力、またエンジン、モーター等からの圧力です。これを避ける為には光回線に余計な不純物とかが入っていない事。たとえば刃物とか、鉄片、金属片とかがない事。そして光回線の口径がその物質の１．５倍以上ある事等が考えられます。つまり物質に掛かる圧力がほとんど０の状態、静かな状態、物質にストレスを掛けない状態で送信する必要があります。そうはいっても、圧縮技術が進めば別ですが。
【００１６】  また同時に、心配なのは、ウイルスとかも送ってしまう危険性がある事です。これはウイルスの大きさからいって現在の光回線の電話回線も同じ危険性を持っていると思います。現在の光回線の電話回線で送信できるのは、においとかが可能だと思います。実際、実験して、においを送ってみました。送れました。実験の成功の鍵は意外にも水を霧吹きで、霧を出来るだけ細かい粒子にして、送信機側の周りに吹き付けるという事でした。このとき、直接送信機に吹き付けるのではなく、送信機の周りに吹きかけるようにして下さい。でないと、送信機が誤作動してしまいます。６００キロメートル離れた所に瞬時に送れました。ついでに、風邪のウイルスも送ってしまい、風邪を受信機側の人にうつしてしまった失敗もやってしまいました。
【発明の展開】
【００１７】  植物と生物は、月の光、また重力波をプラズマまたは物質に変換している事は前の特許、特願２０１１−２２３３９０で証明できました。また発明の原理、仮説１と仮説２も先の特許と今までの実験で証明できました。次に私達が直面するのは光と重力波、そして植物、生物の織り成す、愛とロマンと光のファンタジーです。
【００１８】  前の特許で、太陽系の近くに巨大な磁場が在りその磁場が地球に降り注ぎ太陽系は一年周期でその巨大な磁場を楕円軌道で回っていると説明いたしましたが、その謎にいよいよ、せまろうと思います。ーーーー未知の星−−−−梅雨は６月。このころに未知の星が近づくのではないか。その為、その磁場の影響を受けて雨が降ると考えられる。未知の星は結局、楕円軌道上を回っていることになる。それも一年周期で。この星は、一体、どこに存在するのか、それとも、地球の方が、楕円軌道上を動いているのか。太陽系自体が楕円軌道上を動いているのか。こちらの方が正解かな。
【００１９】  植物及び生物、また物質は光を必要としています。光ゆえにその存在が在るという事を証明してきました。すると光と重力波は植物と生物に吸収されているといえます。いうなれば、光と重力波は、その耀く事を止めて物質になるわけです。つまり外から見れば、暗黒の世界へと変化しているといえます。
【００２０】  そして私達が直面している巨大な磁場。これから推測できる事は、地球は暗黒星雲の、ど真ん中にあるということです。そしてこの巨大な磁場は、暗黒星雲の磁場としか考えられないということです。
【００２１】  植物と生物そして物質は、光を必要としています。そして光は植物と生物の方へ向かうという性質を持っているものと思われます。そしてその三者が、愛とロマンと光のファンタジーで巨大な暗黒星雲の巨大な磁場を形成し、光と重力波を１００％近く、外に逃がさないようにして、自分達の生命体を維持していると考えられます。
【００２２】  これが暗黒星雲の磁場の正体だとしかいいようがありません。暗黒星雲自体が生命体なのかも知れません。巨大なものと小さなもの、これが連動している。すなわち摂理の世界です。生命体の遺伝子の世界に少し似ています。
【発明からの仮説】
【００２３】  暗黒星雲の磁場は、物質によるものであろうと思います。そこは鉛の板と放射能に満ちた暗黒の世界で、生命体の気（ルアハ）に満ちた世界であろうと思います。ルアハというのは旧約聖書に出てくる神の息という意味ですが、なぜこの言葉を使うかといいますと、夜、星が、しょっちゅう、またたくのを見るからです。あれほど遠くの世界で星が揺らぐというのは、かなりの巨大な力ではないかと思い、この言葉を使いました。確かに大気の揺らぎもあるかも知れませんが、それだけではないような気がします。
【００２４】  外部の生命が侵入してくると瞬時に、放射能によって生命を失う世界。そして外部の光は通すけれども内部の光は遮断する、鏡のような仕組みであろうと思います。光なき暗黒の世界で物質を放射能に変換してしまう世界。そして放射能は鉛にも変換するでしょう。極めて危険な世界であろうと思います。このままでは宇宙旅行など夢のまた夢であるに違いない。通過するには、第３の手段、ワープ等の方法を用いるしか手はないでしょう。
【００２５】  また大きな物質であればこの地帯を通り越す時に、暗黒ゆえにミキサーに掛けられたみたいにバラバラになってしまう。こんな世界であろうと思われます。
【００２６】  この暗黒星雲が生命体であった場合、彼は侵入者を、ばい菌みたいにみなすはずです。そのままで侵入した場合には、たとえワープ走行時でも、クモの巣に掛かったように捕らえられてしまうでしょう。ですから最低でも光を発しながらワープする必要があると思います。しかし、せっかく暗黒星雲が命がけで守っている、この世界を破壊するような行動は避けるべきだと思います。暗黒星雲がこれだけの防御システムを持っているという事は、敵もさるもの、これを破壊できるかも知れない攻撃力を持っているからともいえます。敵とは、巨大な生命体のはずです。暗黒星雲の弱点を見つけたらすぐさま襲ってくるに違いありません。私達はその事も知らずに、ぬくぬくと生きている事になります。私達は植物と生物、そして暗黒星雲の命がけの愛とロマンと光を、全身に浴びながら生きています。私達も同じベクトル上を歩むべきかも知れません。